(57)【要約】【課題】介護保健施設の浴室内に簡易施工し、大勢の高齢者が順次入浴する際に使用する給湯補助具であり、ハンドシャワーのノズルから勢い良く噴出された吐出水を周囲に飛散させることなく、整然と浴槽内に導いて給湯する事ができるため、高齢者の寝たきり誘因となる転倒事故を未然に防ぐことが可能となる。また、浴槽内への給湯口の簡易増設が可能なため、同時給湯することによって、入浴待機時間の短縮も図れるハンドシャワー吐出水誘導容器を提供する。【解決手段】本体（１）の中空内壁に突起（３）が突接されたジョウゴ部（２）を内接し、その下部に中空の継手接続部（４）を設ける。さらに、本体（１）の上開口部に開口部（７）を有するフタ（６）を嵌合することを特徴とする。【選択図】      図１
2004313719.tif 000002
【特許請求の範囲】
【請求項１】
（イ）本体（１）の中空内壁に突起（３）が突接されたジョウゴ部（２）を内接し、その下部に中空の継手接続部（４）を設ける。
（ロ）本体（１）の上開口部に開口部（７）を有するフタ（６）を嵌合する。
以上のごとく構成されたハンドシャワー吐出水誘導容器。
【発明の詳細な説明】
【０００１】
【発明の属する技術分野】
本発明は、複数の一般入浴槽を有している介護保健施設の浴室内に設置し、限られた時間帯に大勢の高齢者が順次入浴する際の給湯補助具として使用されるものであり、洗体用ハンドシャワーのノズルから噴出された冷・温水を、周囲に飛散させることなく整然と浴槽内に導き供給するための、簡易増設型のハンドシャワー吐出水誘導容器に関するものである。
【０００２】
【従来の技術】
従来、浴室内に複数の一般入浴槽が設置されている介護保健施設では、各浴槽内に給湯するための専用の蛇口がそれぞれ１個ずつ配設されていた。
しかし、大勢の高齢者が順次入浴する場合、皮膚疾患等の感染予防のために１名入浴毎に排水・洗浄・再給湯の一連の作業を繰り返すのが一般的であり、この再給湯時において、既設の専用蛇口１個からの供給量だけでは、入浴可能な湯量を溜めるにはある程度の時間を必要とし、入浴順番待ちの方々にしばらくの間待っていただく事があった。また、実際にこれに関する苦情も聞かれた。
そこで、この待機時間の短縮を図り、入浴が円滑に行なえるようにするために、入浴槽の近くに設置されている洗体用のハンドシャワーヘッドを浴槽内に入れ、このノズルから噴出される吐出水も併用した同時給湯を行なうことで、給湯流量の不足を補っていた。
【０００３】
【発明が解決しようとする課題】
これには次のような問題点があった。
（イ）ハンドシャワーヘッド自体が浴槽内において固定されているわけではないため、ノズルから吐出されるシャワーの噴出圧力や、その噴出流によって形成される乱流の影響により、シャワーヘッドが浴槽内において任意に浮遊・遊動してしまい、予測せずして吹き上がった冷・温水が入浴者や介助作業者めがけて飛散し、不快感を与える事があった。
（ロ）特に浴室内にて歩行中あるいは洗体中の入浴者が、下肢機能が低下している高齢者である場合、シャワーノズルから噴出された突然の飛散水を避けようとして大きく姿勢を崩す事もあり、その際思わぬ転倒事故を誘発する危険性が高かった。
（ハ）ハンドシャワーに接続されているシャワー用ホースの長さによっては、遠く離れた場所に設置されている浴槽内にまでシャワーヘッドが届かない事があり、温水設備の供給能力に十分な余力があるにもかかわらず、シャワー吐出水を併用した同時給湯ができない場合があった。
（ニ）既存設備における給湯流量の不足を補うために、すでに浴室内の壁や床に埋設されている配管の径寸法や本数の変更を行なったり、あるいは給湯蛇口の個数を増やすなどの大がかりな増改修を伴う場合には、多額の費用と長期の工事期間が必要であった。
【０００４】
【課題を解決するための手段】
本発明は、これらの欠点を除くためのものであり、それを図面について説明すれば、
（イ）本体（１）の中空内壁に突起（３）が突接されたジョウゴ部（２）を内接し、その下部に中空の継手接続部（４）を設ける。
（ロ）本体（１）の上開口部に開口部（７）を有するフタ（６）を嵌合する。
以上のごとく構成されたハンドシャワー吐出水誘導容器。
【０００５】
【発明の実施の形態】
以下、本発明の実施の形態を説明する。
（イ）本体（１）の中空内壁に突起（３）が突接されたジョウゴ部（２）を内接し、その下部に中空の継手接続部（４）を設けた容器を、金型による樹脂の射出成型加工法によって成型する。
このジョウゴ部（２）の内面上に突設された突起（３）は、開口部（７）から挿入されたハンドシャワーヘッド（１２）の先端部分によって、ジョウゴ部（２）の排水出口が塞がれた場合円滑な排水が阻害されるため、この突起（３）によってハンドシャワーヘッド（１２）の挿入量を規制し、適度な隙間を設ける事によって排水経路を確保するためのものである。
また、この突起（３）は排水出口の中心から外周方向に向かって放射状に突設されたリブ形状をしているが、これは排水出口の内径の淵に沿って周設された円柱形状突起（１６）、あるいはその他、円錐形状や球面凸形状などの突起物であっても同様の効果が得られ、その突設個数についても、排水経路の確保さえ可能であれば１個以上の任意の設定で良い。
尚、これらの突起物はより確実な排水経路の確保に必要とされるものであるが、実使用上においては、吐出水の噴出圧の反動によってヘッドが浮き上がる現象があるため、特に設けなくても支障なく使える場合もある。
ただし、ヘッド先端部分の形状や寸法及び重量、あるいは吐出水の噴出方向やその圧力の強弱などによって、条件が左右されるため確実性はない。
（ロ）本体（１）の上開口部に開口部（７）を有する樹脂成型品のフタ（６）を嵌合する。
尚、実際の使用時において、ノズルからの吐出水が上方向に向いて噴出した場合でも、開口部（７）から外部に飛散することのないように、開口部（７）の内周部に返し板（８）を周設しておくとよい。
（ハ）継手接続部（４）にＬ形接続継手（９）を嵌合させ、他方の出口側に排水ホース（１０）を嵌合して、その先端部を入浴槽（１５）まで配管する。
（ニ）本体（１）の外周壁に垂設された吸盤取付溝（５）に嵌着してある吸盤（１１）を浴室タイル壁面（１４）に圧着させて本体（１）を固定し、設置を完了する。
【０００６】
本発明は以上の構成と設置方法であり、これを使用するときは、
フタ（６）の開口部（７）からハンドシャワーヘッド（１２）を本体（１）の内部に挿入すれば、手を離してもヘッドの安定を保つことができ、この状態においてノズルより冷・温水を噴出させると、外部に飛散させることなくジョウゴ部（２）のテーパー内錐面に沿って、吐出水を集めることができる。
さらに、この集められた吐出水を、継手接続部（４）からＬ形接続継手（９）および排水ホース（１０）の内部を経由させて、遠隔地に設置されている入浴槽（１５）まで誘導して供給を行なう。
【０００７】
【発明の効果】
本発明は、以上のような使用方法であり、その効果は、
（イ）給湯時にシャワーノズルから噴出されている吐出水が、入浴中の高齢者や介助中の作業者に飛散することがないため、不快感を与えることがない。
また、この突然の飛散水を避けようとして姿勢を崩す事による高齢者の転倒事故や、それに付随する受傷あるいは骨折などの、寝たきり誘因を未然に解消することができ、これに伴って、介助する作業者側においても緊張の緩和が図れるため、精神的な負担を軽減することができる。
（ロ）排水ホース（１０）の長さを延長することにより、既存の埋設配管の条件下では給湯することが不可能であった、遠く離れた場所に設置されている入浴槽にまでシャワー吐出水を誘導して、供給することが可能となる。
（ハ）浴槽専用の給湯蛇口を新たに設けなくても、ハンドシャワーが配置されている各場所から排水ホース（１０）を集合させて、入浴槽に配管しておけば、複数の給湯口からの同時給湯が可能となり、これによってお湯をためる時間が大幅に削減されるので、入浴待機者の待機時間の短縮が図れる。
（ニ）大がかりな増改修に伴う多額の工事費用や、浴室の長期間使用停止の必要がなく、既存の浴室内環境に応じた後付けの増設が可能であり、また、その設置も容易であるため、短時間にて施工作業を完了することができる。
（ホ）構造が簡単であり、樹脂成型による製作が可能であるため、軽量かつ安価にて提供することができる。
【図面の簡単な説明】
【図１】本発明の使用状態を示す断面図である。
【図２】本発明の設置状態を示す斜視図である。
【図３】本発明の他の突起形状と突接方法を示す部分断面図である。
【符号の説明】
１  本体                          ９  Ｌ形接続継手
２  ジョウゴ部                  １０  排水ホース
３  突起                        １１  吸盤
４  継手接続部                  １２  ハンドシャワーヘッド
５  吸盤取付溝                  １３  シャワー用ホース
６  フタ                        １４  浴室タイル壁面
７  開口部                      １５  入浴槽
８  返し板                      １６  円柱形状突起
【図１】
2004313719.tif 000003
【図２】
2004313719.tif 000004
【図３】
2004313719.tif 000005